(57)【要約】【課題】紐状体の先端を引出孔に確実に止めておくことができ、次に使うときに紐状体の先端を楽に引き出すことのできる紐状体のホルダを提供する。【解決手段】紐の巻き玉１００を収容するケース１と、紐の先端１０１を引き出すためにケースに設けられた引出孔３と、引出孔の周縁壁に設けられた先端係止スリット５と、ケースに開閉自在に設けられ、閉じたときに引出孔と先端係止スリットとを上から覆い、それにより先端係止スリットに係止された紐の先端部分を上から押さえるカッタ部１０とを具備する。カッタ部には、切断スリット１２とカッタ１３が設けられている。カッタ部１０は、ヒンジ１１により凹部４の一側部に回動自在に設けられ、ケースの表面に、カッタ部を収まる凹部４が設けられている。【選択図】図３
2008184162.tif 000002
【特許請求の範囲】
【請求項１】
玉巻きまたはロール巻きした紐状体を収容するケースと、
前記紐状体の先端を引き出すために前記ケースに設けられた引出孔と、
前記引出孔の周縁壁に設けられた、前記紐状体の先端を係止するための先端係止スリットと、
前記ケースに開閉自在に設けられ、閉じたときに前記引出孔と前記先端係止スリットとを上から覆い、それにより前記先端係止スリットに係止された紐状体の先端部分を上から押さえる孔カバーと、
を具備することを特徴とする紐状体のホルダ。
【請求項２】
請求項１に記載の紐状体のホルダであって、
前記孔カバーに、前記紐状体を切断するとき紐状体の切断予定部を挿入する切断スリットと、該切断スリットの奥部に位置する紐状体の切断用のカッタと、が設けられていることを特徴とする紐状体のホルダ。
【請求項３】
請求項２に記載の紐状体のホルダであって、
前記孔カバーがヒンジによりケースに回動自在に設けられると共に、前記ケースの表面に、前記孔カバーを閉じた状態にしたときに該孔カバーの収まる凹部が設けられていることを特徴とする紐状体のホルダ。
【発明の詳細な説明】
【技術分野】
【０００１】
本発明は、玉巻きまたはロール巻きした紐状体を収容して、必要時に紐状体の先端を楽に引き出すことのできる紐状体のホルダに関するものである。
【背景技術】
【０００２】
プラスチック製のテープ紐や紙紐などの紐状体は、家庭内整理整頓、園芸用、荷造り等の用途に利用され、たいへん便利なものである。一般に、この種の紐状体は長尺物であるため、巻き玉や巻きロールの形でユーザーに提供されており、この状態で先端を引出し適当な長さに切断して使用している。
【０００３】
しかし時折、先端が玉の中に落ち込んだり、ロールが転がったりして、取り扱いにくいため、巻き玉やロールを収容するホルダが提供されている。
【０００４】
この種のホルダの従来例として、家庭用テープ紐玉用のケースが特許文献１に開示されている。この特許文献１に開示された家庭用テープ紐玉用のケースは、テープ紐を巻き上げた玉を収納すると共に、テープ紐を、その先端から引き出しやすくする孔を設けたものである。
【特許文献１】特開平８−１３３２９８号公報
【発明の開示】
【発明が解決しようとする課題】
【０００５】
しかし、特許文献１に記載のものは、単にケースにテープ紐の先端を引き出しやすくする孔を設けただけのものであるため、せっかくその孔に紐状体の先端を引っ掛けておいても、また中に落ち込みやすいという問題があった。
【０００６】
本発明は、上記事情を考慮し、紐状体の先端を引出孔に確実に止めておくことができ、次に使うときに紐状体の先端を楽に引き出すことのできる紐状体のホルダを提供することを目的とする。
【課題を解決するための手段】
【０００７】
請求項１の発明は、玉巻きまたはロール巻きした紐状体を収容するケースと、前記紐状体の先端を引き出すために前記ケースに設けられた引出孔と、前記引出孔の周縁壁に設けられた、前記紐状体の先端を係止するための先端係止スリットと、前記ケースに開閉自在に設けられ、閉じたときに前記引出孔と前記先端係止スリットとを上から覆い、それにより前記先端係止スリットに係止された紐状体の先端部分を上から押さえる孔カバーと、を具備することを特徴とする。
【０００８】
請求項２の発明は、請求項１に記載の紐状体のホルダであって、前記孔カバーに、前記紐状体を切断するとき紐状体の切断予定部を挿入する切断スリットと、該切断スリットの奥部に位置する紐状体の切断用のカッタと、が設けられていることを特徴とする。
【０００９】
請求項３の発明は、請求項２に記載の紐状体のホルダであって、前記孔カバーがヒンジによりケースに回動自在に設けられると共に、前記ケースの表面に、前記孔カバーを閉じた状態にしたときに該孔カバーの収まる凹部が設けられていることを特徴とする。
【発明の効果】
【００１０】
請求項１の発明によれば、孔カバーを閉じることにより、引出孔の周縁の先端係止スリットに係止された紐状体の先端部分を上から押さえることができるので、紐状体の先端を引出孔に確実に止めておくことができ、次に使うときに紐状体の先端を楽に引き出すことができる。
【００１１】
請求項２の発明によれば、孔カバーに切断スリットとカッタを設けたので、ハサミやカッタなどを別に用意する必要がない。また、引出孔の周縁に直接にカッタを設けず、引出孔を覆うよう開閉自在に設けた孔カバーにカッタを設けているので、孔カバーを使いやすい姿勢に開いた状態で、切断スリットに紐状体を挿入するだけで、紐状体を適当な位置で切断することができ、使い勝手がよい。
【００１２】
請求項３の発明によれば、孔カバーを回動自在に設け、閉じたときにケース表面の凹部に収まるようにしたので、不使用時に孔カバーが邪魔にならず、他の部材とぶつけて壊すおそれもない。
【発明を実施するための最良の形態】
【００１３】
以下、本発明の実施形態を図面を参照して説明する。
図１〜図４は第１実施形態の紐状体のホルダを示し、図１は外観斜視図、図２（ａ）は上面図、（ｂ）は（ａ）のＩＩｂ−ＩＩｂ矢視断面図、図３はカッタ部で紐を切断しようとしている状態を示す斜視図、図４は切断後に先端係止スリットに紐の先端を係止した状態を示す斜視図である。
【００１４】
このホルダＭ１は、ビニール紐（紐状体）の巻き玉１００を収容するケース１を有しており、ケース１は、上端が開口した有底円筒状のケース本体１Ａと、ケース本体１Ａの上端開口を塞ぐようにケース本体１Ａに装着固定される円板状の蓋２とからなる。ケース本体１Ａと蓋２は、例えば、樹脂の成形品や金属のプレス成形品よりなる。
【００１５】
円板状の蓋２の中央には、ケース本体１Ａに収納された巻き玉１００から紐の先端１０１を引き出すための引出孔３が設けられている。引出孔３は、蓋２の中央領域に設けられた凹部４の中央に設けられており、引出孔３の周縁壁には、紐の先端１０１を差し込んで係止するための先端係止スリット５が設けられている。
【００１６】
また、蓋２には、開閉自在のカッタ部（孔カバー）１０が設けられている。カッタ部１０は、閉じたときに引出孔３と先端係止スリット５とを上から覆い、それにより、先端係止スリット５に係止された紐の先端１０１部分を上から押さえ付けるものである。このカッタ部１０は、ヒンジ１１により凹部４の内周縁の一側部に回動自在に取り付けられており、閉じた状態のときに凹部４にちょうど嵌ってがたつかないようになっている。
【００１７】
なお、カッタ部１０を開く際にカッタ部１０のヒンジ１１と反対側の部分に指がかかるように、凹部４はヒンジ１１と反対側の部分がカッタ部１０の大きさよりも大きめに形成されており、その部分４Ａが更に深くなっていて、その深くなった部分４Ａに指を入れられるようになっている。また、先端係止スリット５は、ヒンジ１１と反対側に設けられている。
【００１８】
また、カッタ部１０には、紐を切断するとき紐の切断予定部を挿入する切断スリット１２と、切断スリット１２の奥部に位置する紐切断用のカッタ１３とが設けられている。切断スリット１２は、カッタ部１０の側縁部からカッタ部１０の中心部に向かって形成されており、切断スリット１２と先端係止スリット５は、互いに交差する関係にある。また、蓋２の周縁には引っ掛け孔の付いた取っ手９が設けられており、蓋２の開け閉めの際に、取っ手９を摘んで蓋２の開閉ができるようになっている。
【００１９】
次に上記構成のホルダＭ１の作用を説明する。
使用するに際しては、まず、空芯状の紐の巻き玉１００をケース本体１Ａの中に入れ、蓋２をして、紐の先端１０１を引出孔３から引き出す。そして、図３に示すように、紐を必要な長さだけ引き出したら、適当な角度に開いたカッタ部１０の切断スリット１２に、切断しようとする部分を入れて、カッタ１３に当たるように紐を引く。そうすると、カッタ１３の位置で紐が切断される。その結果、図４に示すように、カッタ部１０の下側に切断された紐の先端１０１が残るので、次にその紐の先端１０１を先端係止スリット５に差し込んで係止させる。その後、カッタ部１０を閉じて凹部４に嵌め込む。
【００２０】
そうすることにより、先端係止スリット５に係止された紐の先端１０１部分を上からカッタ部１０で押さえることができ、紐の先端１０１を引出孔３に確実に止めておくことができて、次に使うときに紐の先端１０１を楽に引き出すことができるようになる。
【００２１】
また、このホルダＭ１では、カッタ部１０に切断スリット１２とカッタ１３を設けているので、ハサミやカッタなどを別に用意する必要がない。また、引出孔３の周縁に直接カッタを設けずに、引出孔３を覆うカッタ部１０にカッタ１３を設けているので、カッタ部１０を使いやすい姿勢に開いた状態で、切断スリット１２に紐を挿入するだけで、紐を適当な位置で切断することができ、使い勝手がよい。
【００２２】
また、このホルダＭ１では、カッタ部１０を蓋２に回動自在に設け、閉じたときに蓋２の表面の凹部４に収まるようにしているので、不使用時にカッタ部１０が邪魔になることがなく、他の部材とぶつけて壊すおそれもない。
【００２３】
次に第２実施形態の紐状体のホルダについて説明する。
図５〜図９は第２実施形態の紐状体のホルダを示し、図５は外観斜視図、図６（ａ）は上面図、（ｂ）は（ａ）のＶＩｂ−ＶＩｂ矢視断面図、図７は下面蓋を外してテープ紐のロールを収容した状態を示す斜視図、図８はカッタ部でテープ紐を切断しようとしている状態を示す斜視図、図９は切断後に先端係止スリットにテープ紐の先端を係止した状態を示す斜視図である。
【００２４】
このホルダＭ２は、テープ紐（紐状体）の巻きロール２００を収容するケース２１を有しており、ケース２１は、下端が開口した角形キャップ状のケース本体２１Ａと、ケース本体２１Ａの下端開口を塞ぐようにケース本体２１Ａに装着固定される矩形板状の下面蓋２２とからなる。ケース本体２１Ａと下面蓋２２は、例えば、樹脂の成形品や金属のプレス成形品よりなる。
【００２５】
ケース本体２１Ａは、フラットな長方形状の上面壁２１ａと、上面壁２１ａの４辺より垂下する前後左右の側面壁２１ｂ、２１ｃとを有し、左右の側面壁２１ｃの下部にはテープ紐の残量を確認するための窓２１ｄが開いている。また、前後の側面壁２１ｂの下端と下面蓋２２とには、下面蓋２２をロックするためのロック爪２９とそのロック爪２９の係合するロック孔２８とが設けられている。
【００２６】
また、ケース本体２１Ａの上面壁２１ａには、ケース２１の内部に収納された巻きロール２００からテープ紐の先端２０１を引き出すための引出孔２３が設けられている。引出孔２３は、ケース本体２１Ａの上面壁２１ａに形成した凹部２４の中央に設けられており、引出孔２３の周縁壁には、テープ紐の先端２０１を差し込んで係止するための先端係止スリット２５が設けられている。
【００２７】
また、ケース本体２１Ａの上面壁２１ａには、開閉自在のカッタ部（孔カバー）３０が設けられている。カッタ部３０は、閉じたときに引出孔２３と先端係止スリット２５とを上から覆い、それにより先端係止スリット２５に係止されたテープ紐の先端２０１部分を上から押さえ付けるものである。このカッタ部３０は、ヒンジ３１により凹部２４の内周縁の一側部に回動自在に取り付けられており、閉じた状態のときに凹部２４にちょうど嵌ってがたつかないようになっている。
【００２８】
なお、カッタ部３０を開く際にカッタ部３０のヒンジ３１と反対側の部分に指がかかるように、凹部２４はヒンジ３１と反対側の部分がカッタ部３０の大きさよりも大きめに形成されており、その部分２４Ａに指を入れられるようになっている。また、先端係止スリット２５は、ヒンジ３１と同じ側に設けられている。
【００２９】
また、カッタ部３０には、テープ紐を切断するときテープ紐の切断予定部を挿入する切断スリット３２と、切断スリット３２の奥部に位置するテープ紐の切断用のカッタ３３とが設けられている。切断スリット３２は、カッタ部３０の先端縁からカッタ部３０の中心に向かって形成されており、切断スリット３２と先端係止スリット２５は、互いに平行な関係にある。
【００３０】
次に上記構成のホルダＭ２の作用を説明する。
使用するに際しては、まず、図７に示すように、テープ紐の巻きロール２００をケース本体２１Ａの内部に入れ、下面蓋２２を装着して、テープ紐の先端２０１を引出孔２３から引き出す。そして、図８に示すように、テープ紐を必要な長さだけ引き出したら、適当な角度に開いたカッタ部３０の切断スリット３２に、切断しようとする部分を入れて、カッタ３３に当たるようにテープ紐を引く。そうすると、カッタ３３の位置でテープ紐が切断される。その結果、図９に示すように、カッタ部３０の下側に切断された紐の先端２０１が残るので、次にそのテープ紐の先端２０１を先端係止スリット２５に差し込んで係止させる。その後、カッタ部３０を閉じて凹部２４に嵌め込む。
【００３１】
そうすることにより、先端係止スリット２５に係止されたテープ紐の先端２０１部分を上から押さえることができ、テープ紐の先端２０１を引出孔２３に確実に止めておくことができて、次に使うときに紐の先端２０１を楽に引き出すことができるようになる。
【００３２】
また、このホルダＭ２では、カッタ部３０に切断スリット３２とカッタ３３を設けているので、ハサミやカッタなどを別に用意する必要がない。また、引出孔２３の周縁に直接カッタを設けずに、引出孔２３を覆うカッタ部３０にカッタ３３を設けているので、カッタ部３０を使いやすい姿勢に開いた状態で、切断スリット３２にテープ紐を挿入するだけで、テープ紐を適当な位置で切断することができ、使い勝手がよい。
【００３３】
また、このホルダＭ２では、カッタ部３０をケース本体２１Ａに回動自在に設け、閉じたときにケース本体２１Ａの表面の凹部２４に収まるようにしているので、不使用時にカッタ部３０が邪魔になることがなく、他の部材とぶつけて壊すおそれもない。
【図面の簡単な説明】
【００３４】
【図１】本発明の第１実施形態の紐状体のホルダの外観斜視図である。
【図２】（ａ）は同ホルダの上面図、（ｂ）は（ａ）のＩＩｂ−ＩＩｂ矢視断面図である。
【図３】同ホルダのカッタ部で紐を切断しようとしている状態を示す斜視図である。
【図４】同ホルダにおいて、切断後に先端係止スリットに紐の先端を係止した状態を示す斜視図である。
【図５】本発明の第２実施形態の紐状体のホルダの外観斜視図である。
【図６】（ａ）は同ホルダの上面図、（ｂ）は（ａ）のＶＩｂ−ＶＩｂ矢視断面図である。
【図７】同ホルダの下面蓋を外してテープ紐のロールを収容した状態を示す斜視図である。
【図８】同ホルダのカッタ部でテープ紐を切断しようとしている状態を示す斜視図である。
【図９】同ホルダにおいて、切断後に先端係止スリットにテープ紐の先端を係止した状態を示す斜視図である。
【符号の説明】
【００３５】
Ｍ１  紐状体のホルダ
１００  巻き玉
１０１  紐の先端
１  ケース
３  引出孔
４  凹部
５  先端係止スリット
１０  カッタ部（孔カバー）
１１  ヒンジ
１２  切断スリット
１３  カッタ
Ｍ２  紐状体のホルダ
２００  巻きロール
２０１  テープ紐の先端
２１  ケース
２３  引出孔
２４  凹部
２５  先端係止スリット
３０  カッタ部（孔カバー）
３１  ヒンジ
３２  切断スリット
３３  カッタ
【図１】
2008184162.tif 000003
【図２】
2008184162.tif 000004
【図３】
2008184162.tif 000005
【図４】
2008184162.tif 000006
【図５】
2008184162.tif 000007
【図６】
2008184162.tif 000008
【図７】
2008184162.tif 000009
【図８】
2008184162.tif 000010
【図９】
2008184162.tif 000011